(57)【要約】【課題】過去のアンテナ・ベリフィケーションの誤判定によらず、後続のアンテナ・ベリフィケーションの結果に基づく伝送路推定を正しく行うことが可能な無線受信装置及びアンテナ・ベリフィケーション方法を提供する。【解決手段】無線受信装置１は、過去に判定した位相オフセットに基づいて決定した複数のウエイトベクトル候補値を受信信号と比較することにより、ＦＢＩビットに従って無線送信装置５が第２アンテナ６４から送信する信号に付加した位相オフセットを判定するアンテナ・ベリフィケーション部１９を備える。アンテナ・ベリフィケーション部１９は、過去の位相オフセットの判定において、無線送信装置５から受信した信号の位相オフセットがＦＢＩビットより定まる位相オフセットと異なっていた場合は、過去の判定による位相オフセットをＦＢＩビットより定まる位相オフセットとしたときの位相候補値を加えて判定を行う。【選択図】図１
2007104097.tif 000002
【特許請求の範囲】
【請求項１】
第１アンテナと第２アンテナによってクローズドループ型の送信ダイバーシチを行う無線送信装置と通信可能な無線受信装置であって、
前記無線送信装置によって、前記無線受信装置からのフィードバック情報に従って前記第１アンテナから送信される信号と前記第２アンテナから送信される信号の少なくとも一方に付加されたウエイトベクトルを判定するアンテナ・ベリフィケーション部と、
前記アンテナ・ベリフィケーション部が判定したウエイトベクトルを用いて前記無線送信装置から受信した信号の位相変動を補償して信号合成を行う合成部とを備え、
前記アンテナ・ベリフィケーション部は、
過去に判定したウエイトベクトルに基づいて決定した複数のウエイトベクトル候補値を受信信号と比較することにより、前記無線送信装置によって設定されたウエイトベクトルを前記複数の候補値から選択するものであり、
過去の前記ウエイトベクトルの判定において、前記無線送信装置から受信した信号のウエイトベクトルが前記フィードバック情報より定まるウエイトベクトルと異なっていた場合は、前記過去の判定によるウエイトベクトルを前記フィードバック情報より定まるウエイトベクトルとしたときのウエイトベクトル候補値を前記複数の候補値に加えて判定を行う無線受信装置。
【請求項２】
前記アンテナ・ベリフィケーション部の判定結果を保持する判定履歴保持部を備え、
前記アンテナ・ベリフィケーション部が判定したウエイトベクトルが、前記フィードバック情報より定まるウエイトベクトルと異なっていたか否かを前記判定履歴保持部に記録する請求項１に記載の無線受信装置。
【請求項３】
前記無線受信装置は、Ｗ−ＣＤＭＡのクローズドループ・モード１による送信ダイバーシチを行う無線送信装置と対向して使用される無線受信装置であって、
前記フィードバック情報は、上りＤＰＣＨを用いて前記無線送信装置に送信されるＦＢＩビットであり、
前記ウエイトベクトルは、前記ＦＢＩビットに基づいて前記第２アンテナからの送信信号に付加される位相オフセットである請求項１又は２に記載の無線受信装置。
【請求項４】
前記アンテナ・ベリフィケーション部は、過去の前記位相オフセットの判定において、前記無線送信装置から受信した信号の位相オフセットが前記ＦＢＩビットより定まる位相オフセットと異なっていた場合は、判定を行うタイムスロットに対応する第１のＦＢＩビット及び前記第１のＦＢＩビットより１スロット前の第２のＦＢＩビットの組合せから定まる第１の位相候補値、前記第１のＦＢＩビットを反転したビット及び前記第２のＦＢＩビットの組合せから定まる第２の位相候補値、並びに、前記第２のＦＢＩビットを反転したビット及び前記第１のＦＢＩビットの組合せから定まる第３の位相候補値から、前記無線送信装置によって設定された位相オフセットを選択する請求項３に記載の無線受信装置。
【請求項５】
前記アンテナ・ベリフィケーション部は、過去の前記位相オフセットの判定において、前記無線送信装置から受信した信号の位相オフセットがＦＢＩビットより定まる位相オフセットと異なっていた場合、前記第１のＦＢＩビット及び前記第２のＦＢＩビットを共に反転したビット組合せから定まる第４の位相候補値をさらに加えて判定を行う請求項４に記載の無線受信装置。
【請求項６】
前記ウエイトベクトルは、前記第１アンテナから送信する信号と前記第２アンテナから送信する信号の間に設定した位相差及び／又は振幅差である請求項１に記載の無線受信装置。
【請求項７】
第１アンテナと第２アンテナによってクローズドループ型の送信ダイバーシチを行う無線送信装置と通信可能な無線受信装置が行うものであり、前記無線送信装置によって前記無線受信装置からのフィードバック情報に従って前記第１アンテナから送信される信号と前記第２アンテナから送信される信号の少なくとも一方に付加されたウエイトベクトルを、過去に判定したウエイトベクトルに基づいて決定した複数のウエイトベクトル候補値から選択するアンテナ・ベリフィケーション方法であって、
過去の前記ウエイトベクトルの判定におけるウエイトベクトルの判定値が前記フィードバック情報より定まるウエイトベクトルと異なっていたかを判定し、
前記フィードバック情報より定まるウエイトベクトルと異なっていた場合は、前記過去の判定によるウエイトベクトルを前記フィードバック情報より定まるウエイトベクトルとしたときのウエイトベクトル候補値を含む複数のウエイトベクトル候補値を決定し、
前記ウエイトベクトル候補値を受信信号と比較して、前記無線送信装置によって設定されたウエイトベクトルを前記複数の候補値から選択するアンテナ・ベリフィケーション方法。
【請求項８】
前記無線受信装置は、Ｗ−ＣＤＭＡのクローズドループ・モード１による送信ダイバーシチを行う無線送信装置と対向して使用される無線受信装置であって、
前記フィードバック情報は、上りＤＰＣＨを用いて前記無線送信装置に送信されるＦＢＩビットであり、
前記ウエイトベクトルは、前記ＦＢＩビットに基づいて前記第２アンテナからの送信信号に付加される位相オフセットである請求項７に記載のアンテナ・ベリフィケーション方法。
【請求項９】
過去の前記位相オフセットの判定において、前記無線送信装置から受信した信号の位相オフセットが前記ＦＢＩビットより定まる位相オフセットと異なっていた場合は、判定を行うタイムスロットに対応する第１のＦＢＩビット及び前記第１のＦＢＩビットより１スロット前の第２のＦＢＩビットの組合せから定まる第１の位相候補値、前記第１のＦＢＩビットを反転したビット及び前記第２のＦＢＩビットの組合せから定まる第２の位相候補値、並びに、前記第２のＦＢＩビットを反転したビット及び前記第１のＦＢＩビットの組合せから定まる第３の位相候補値から、前記無線送信装置によって設定された位相オフセットを選択する請求項８に記載のアンテナ・ベリフィケーション方法。
【請求項１０】
過去の前記位相オフセットの判定において、前記無線送信装置から受信した信号の位相オフセットがＦＢＩビットより定まる位相オフセットと異なっていた場合、前記第１のＦＢＩビット及び前記第２のＦＢＩビットを共に反転したビット組合せから定まる第４の位相候補値をさらに加えて判定を行う請求項９に記載のアンテナ・ベリフィケーション方法。
【請求項１１】
第１アンテナと第２アンテナによってＷ−ＣＤＭＡのクローズドループ・モード１による送信ダイバーシチを行う無線送信装置と通信可能な無線受信装置が行うものであり、前記無線送信装置によって前記無線受信装置から受信したＦＢＩビットに従って前記第２アンテナから送信される信号に付加された位相オフセットを、過去に判定した位相オフセットに基づいて決定した複数の位相オフセット候補値から選択するアンテナ・ベリフィケーション方法であって、
過去の前記位相オフセットの判定において、前記無線送信装置から受信した信号の位相オフセットが前記ＦＢＩビットより定まる位相オフセットと異なっていた場合は、判定を行うタイムスロットに対応する第１のＦＢＩビット及び前記第１のＦＢＩビットより１スロット前の第２のＦＢＩビットの組合せから定まる第１の位相候補値、前記第１のＦＢＩビットを反転したビット及び前記第２のＦＢＩビットの組合せから定まる第２の位相候補値、並びに、前記第２のＦＢＩビットを反転したビット及び前記第１のＦＢＩビットの組合せから定まる第３の位相候補値から、前記無線送信装置によって設定された位相オフセットを選択し、
過去の前記位相オフセットの判定において、前記無線送信装置から受信した信号の位相オフセットが前記ＦＢＩビットより定まる位相オフセットと同じであった場合は、前記第１の位相候補値及び前記第２の位相候補値から、前記無線送信装置によって設定された位相オフセットを選択するアンテナ・ベリフィケーション方法。
【発明の詳細な説明】
【技術分野】
【０００１】
本発明は、クローズドループ型送信ダイバーシチを行う無線通信システムに関し、特に、無線受信装置が行うアンテナ・ベリフィケーションに関する。
【背景技術】
【０００２】
ダイバーシチ技術は、無線通信、特に移動体通信において、フェージング環境下での伝送品質の劣化を軽減する技術として有効である。ダイバーシチ技術の１つに送信ダイバーシチがある。送信ダイバーシチは、無線送信装置が複数のアンテナから信号を送信し、無線受信装置が１系列のアンテナ及び受信回路によって送信信号を受信するものである。送信ダイバーシチを行う場合、一般的に、無線送信装置は、信号送信に先立って、無線受信装置までの伝送路の状況を把握する必要がある。この伝送路状況の把握に無線受信装置からのフィードバック情報を利用するものを、以下ではクローズドループ型送信ダイバーシチと呼ぶ。
【０００３】
例えば、Ｗ−ＣＤＭＡ（Wideband - Code Division Multiple Access）通信方式の標準規格である３ＧＰＰ（3rd Generation Partnership Project）においても、モード１及びモード２の２つのクローズドループ型送信ダイバーシチが採用されている（例えば特許文献１を参照）。このうち、クローズドループ・モード１は、基地局の無線送信装置が有する２つの送信アンテナ（以下、第１アンテナ及び第２アンテナと呼ぶ）によって送信ダイバーシチを行うものである。移動局は、基地局から受信する信号の受信電力が大きくなるように、第２アンテナから送信する送信キャリア位相を制御するためのフィードバック情報を基地局に送信する。クローズドループ・モード１では、第２アンテナの送信キャリアに適用する位相オフセットを４通りの位相から選択する。
【０００４】
クローズドループ・モード２も、クローズドループ・モード１と同様に、基地局の無線送信装置が有する２つの送信アンテナによって送信ダイバーシチを行うものである。しかしながら、移動局が送信するフィードバック情報によって、第２アンテナの送信キャリア位相に加えて振幅も選択することができる点で異なる。クローズドループ・モード２では、第２アンテナの送信キャリアに適用する位相を８通りから選択し、送信キャリア振幅を２通り選択することで、位相及び振幅の組合せを１６通りから選択する。
【０００５】
クローズドループ・モード１による送信ダイバーシチを行う従来のＷ−ＣＤＭＡ通信システムについて簡単に説明する。図３は基地局側の無線送信装置５の構成を示し、図４は移動局側の無線受信装置７の構成を示している。まず、図３の無線送信装置５の構成について説明する。チャネル生成部５１は、送信データ系列である個別チャネルＤＣＨ（Dedicated Channel）データ系列を入力し、チャネル符号化及びビットインタリーブを行った後に、個別パイロットビット、ＴＰＣ（Transmit Power Control）コマンド等の制御情報と多重化して、個別物理チャネルＤＰＣＨ（Dedicated Physical Channel）を生成する。なお、チャネル生成部５１は、第１アンテナ６３及び第２アンテナ６４の２つのアンテナから送信する２系列のＤＰＣＨ（ＤＰＣＨ１及びＤＰＣＨ２）を出力する。
【０００６】
アンテナ・ウエイト生成部５２は、ＦＢＩ（Feedback Information）ビット判定部５３から入力されるＦＢＩビットをもとに、チャネル生成部５１が生成した２系列のＤＰＣＨに乗算するウエイトベクトルｗ１及びｗ２を生成する。ウエイトベクトルｗ１及びｗ２を、乗算器５５及び５６によって２系列のＤＰＣＨに乗算することにより、送信キャリア位相を回転し、２つのアンテナ６３及び６４から送信される信号に位相オフセットを設けることができる。
【０００７】
クローズドループ・モード１では、第１アンテナ６３の送信信号と第２アンテナ６４の送信信号との間に設ける位相オフセットφは、π／４、−π/４、３π／４又は−３π／４のいずれかであり、ウエイトベクトルｗ１、ｗ２の組み合わせは以下の（１）式に示す４通りのいずれかとなる。
【０００８】
【数１】
2007104097.tif 000003
【０００９】
ＦＢＩビット判定部５３は、移動局（無線受信装置７）から受信したＦＢＩビットの値を判定する。ここでＦＢＩビットとは、無線送信装置５の２つのアンテナ６３及び６４から送信された信号が移動局の受信部においてほぼ同位相となるように第２アンテナ６４から送信するＤＰＣＨの送信キャリア位相を制御するための情報である。ＦＢＩビットは、後述する無線受信装置７によって生成され、上りＤＰＣＨを用いて基地局側の無線送信装置５に送信される。
【００１０】
なお、クローズドループ・モード１では、上りＤＰＣＨ中のＦＢＩビット数は、ＤＰＣＨの1スロット当たり１ビットである。このため、２スロットのＦＢＩビットによって、上述した４通りの位相オフセットのいずれか１つを指定する。上りＤＰＣＨのスロット番号が偶数の時のＦＢＩビットをＦＢＩ＿ｅと表し、スロット番号が奇数の時のＦＢＩビットをＦＢＩ＿ｏと表すこととすると、位相オフセットは最新の（ＦＢＩ＿ｅ、ＦＢＩ＿ｏ）の組合せから、以下のように決定される。
（ＦＢＩ＿ｅ、ＦＢＩ＿ｏ）＝（０，０）のとき、φ＝π／４
（ＦＢＩ＿ｅ、ＦＢＩ＿ｏ）＝（０，１）のとき、φ＝−π／４
（ＦＢＩ＿ｅ、ＦＢＩ＿ｏ）＝（１，０）のとき、φ＝３π／４
（ＦＢＩ＿ｅ、ＦＢＩ＿ｏ）＝（１，１）のとき、φ＝−３π／４
【００１１】
拡散符号生成部５４は、２系列のＤＰＣＨに対する拡散符号を生成する。拡散符号生成部５４が生成した拡散符号を乗算器５７及び５８によって２系列のＤＰＣＨデータに乗算し、ＤＰＣＨデータ列を拡散符号化する。
【００１２】
合成部５９は、第１アンテナ６３から送信するＤＰＣＨ１及び共通パイロットチャネルＣＰＩＣＨ１を合成して送信部６１に送信する。合成部６０は、第２アンテナ６４から送信するＤＰＣＨ２及び共通パイロットチャネルＣＰＩＣＨ２を合成して送信部６２に送信する。ここで、共通パイロットチャネルＣＰＩＣＨ（Common Pilot Channel）は、パイロットシンボルを伝送するチャネルであって、ＣＰＩＣＨ１及びＣＰＩＣＨ２は同一の拡散符号で拡散され、パイロット信号のシンボルパターンを変えることで直交化されている。
【００１３】
合成部５９及び６０で多重された送信信号は、送信部６１又は６２において、Ｄ／Ａ変換、直交変調、ＲＦ信号への周波数変換、信号増幅された後に、第１アンテナ６３及び６４からそれぞれ送信される。
【００１４】
次に、図４の無線受信装置７の構成について説明する。受信部１２は、アンテナ１１を介して受信した受信信号を入力して信号増幅、周波数変換（ダウンコンバート）、直交検波を行って、同相成分のアナログ信号と直交成分のアナログ信号を得る。受信部１２は、さらに、同相成分のアナログ信号と直交成分のアナログ信号をＡ／Ｄ変換し、ＤＰＣＨ逆拡散部１３及びＣＰＩＣＨ逆拡散部１４に出力する。
【００１５】
ＤＰＣＨ逆拡散部１３は、基地局側の無線送信装置５においてＤＰＣＨに適用した拡散符号と同一の拡散符号を用いて逆拡散を行う。ＣＰＩＣＨ逆拡散部１４は、無線送信装置５においてＣＰＩＣＨに適用した拡散符号と同一の拡散符号を用いて逆拡散を行う。
【００１６】
位相比較部１５は、第１アンテナ６３から送信された受信ＣＰＩＣＨ１の位相と、第２アンテナ６４から送信された受信ＣＰＩＣＨ２の位相差を比較する。ＦＢＩビット生成部１６は、受信ＣＰＩＣＨ１と受信ＣＰＩＣＨ２の位相差がほぼなくなるように、第２アンテナ６４から送信されるＣＰＩＣＨ２の位相オフセットを決定し、決定した位相オフセットに対応するＦＢＩビットを上りＤＰＣＨに付与して基地局に送信する。
【００１７】
なお、上述したように、ＦＢＩビットは、上りＤＰＣＨの1スロット当たり１ビットである。このため、偶数スロットでは、ＦＢＩビット生成部１６は、位相オフセットφが０又はπのいずれであるかを判定し、φ＝０と判定した場合はＦＢＩ＿ｅ＝０とし、φ＝πと判定した場合は、ＦＢＩ＿ｅ＝１とする。また、奇数スロットでは、位相オフセットφがπ／２又は−π／２のいずれであるかを判定し、φ＝π／２と判定した場合はＦＢＩ＿ｏ＝０とし、φ＝−π／２と判定した場合は、ＦＢＩ＿ｏ＝１とする。
【００１８】
第１アンテナ伝送路推定部１７は、第１アンテナ６３から送信された信号の伝送路の特性を推定することによって、フェージングに起因する受信信号の位相変動を補償する。後述するＲＡＫＥ合成部２２では、時間分離された複数のマルチパス成分を合成するが、各マルチパス成分は独立な伝送路を通って受信されるために異なるフェージングを受けており、フェージングによる位相変動も異なっている。このため、同期検波を行うためには、各パスのフェージングに起因する位相変動を推定して、これを補償する必要がある。
【００１９】
クローズドループ型送信ダイバーシチを行うＷ−ＣＤＭＡ通信システムでは、ＣＰＩＣＨに含まれるパイロットシンボルを用いて伝送路推定を行うことが一般的である。ＣＰＩＣＨは、固定パターンであるパイロットシンボルを伝送するチャネルであり、無線受信装置７において送信位相が既知である。このため、第１アンテナ伝送路推定部１７は、ＤＰＣＨ１と同一の第１アンテナ６３から送信され、ＤＰＣＨ１と伝送路を経由して無線受信装置７に到達するＣＰＩＣＨ１の受信位相を送信位相と比較し、フェージングによる位相変動の推定値を求める。乗算器２０において、第１アンテナ伝送路推定部１７によって求められた推定値の複素共役をＣＰＣＨ逆拡散部１３が出力する受信ＤＰＣＨのデータシンボルに乗算することにより、フェージングに起因する位相変動を補償することができる。
【００２０】
第２アンテナ伝送路推定部１８は、第２アンテナ６４から送信された信号の伝送路の特性を推定することによって、フェージングに起因する受信信号の位相変動を補償する。第２アンテナ伝送路推定部１８は、第１アンテナ伝送路推定部１７と同様に、パイロットシンボルを転送するＣＰＩＣＨ２の受信位相を送信位相と比較し、フェージングによる位相変動の推定値を求める。ただし、アンテナ２から送信されるＤＰＣＨ２は、位相オフセットが付加されている。従って、第２アンテナ伝送路推定部１８は、アンテナ・ベリフィケーション部７９が出力する位相オフセット情報を入力し、位相オフセット分を考慮して伝送路推定を行う必要がある。
【００２１】
アンテナ・ベリフィケーション部７９は、受信ＣＰＩＣＨ２及び受信ＤＰＣＨ２を入力し、基地局側の無線送信装置５がＤＰＣＨ２に適用した位相オフセットを判定する。ここで、アンテナ・ベリフィケーションとは、クローズドループ型送信ダイバーシチによる送信信号を受信する無線受信装置において、無線送信装置が送信信号に付加したウエイトベクトルを推定することである。
【００２２】
クローズドループ・モード１のアンテナ・ベリフィケーションでは、ウエイトベクトルとして、第２アンテナから送信されるＤＰＣＨ２に位相オフセットを付加する。このため、アンテナ・ベリフィケーション部７９はＤＰＣＨ２に付加された位相オフセットを推定する。移動局から基地局に送信するＦＢＩビットにビット誤りが発生した場合、基地局がＤＰＣＨ２に付加する位相オフセットは、移動局がＦＢＩビットによって指定した位相オフセットと異なる。このため、移動局の無線受信装置７は、基地局が適用した位相オフセットをアンテナ・ベリフィケーションによって判定する必要がある。
【００２３】
例えば、クローズドループ・モード１の場合は、基地局側の無線送信装置によって第２アンテナから送信するＤＰＣＨ２に適用された位相オフセットを判定する。この判定結果は、第２アンテナ伝送路推定部１８における伝送路推定に利用される。
【００２４】
アンテナ・ベリフィケーションにはいくつかの方法があり、３ＧＰＰ ＴＳ２５．２１４ ＡｎｎｅｘＡにも一例が記載されている。以下では、各スロットごとに１ビットのＦＢＩビットを判定することにより、基地局が適用した位相オフセットを判定する方法を、具体例を示して説明する。
【００２５】
以下では、移動局が送信するＦＢＩビットは常にゼロである場合を考える。また、アンテナ・ベリフィケーションの処理対象の偶数スロットのＦＢＩビットＦＢＩ＿ｅとし、１スロット前の奇数スロットに対するアンテナ・ベリフィケーションでは、基地局が受信したＦＢＩビットにビット誤りはなく、ＦＢＩ＿ｏ＝０と判定したとする。
【００２６】
基地局がＦＢＩビットを誤りなく受信した場合に期待される位相オフセットを第１の位相候補値とし、基地局が受信したＦＢＩビットにビット誤りがあった場合に期待される位相オフセットを第２の位相候補値とする。つまり、第１の位相候補値は、（ＦＢＩ＿ｅ，ＦＢＩ＿ｏ）＝（０，０）であるためπ／４ラジアンとなり、第２の位相候補値は、（ＦＢＩ＿ｅ，ＦＢＩ＿ｏ）＝（１，０）であるため３π／４ラジアンとなる。
【００２７】
第２アンテナ６４から送信される下りＤＰＣＨ２及び下りＣＰＩＣＨ２は、同じ伝送路を経由して無線受信装置７に到達するため、ＤＰＣＨ２とＣＰＩＣＨ２のフェージングに起因する位相変動量は同じである。ＤＰＣＨ２の位相はさらに位相オフセット分だけ回転されている。このため、フェージングの影響を示す複素ベクトルをβとし、フェージングの影響を受けた受信ＤＰＣＨ２と受信ＣＰＩＣＨ２をそれぞれβ（ＤＰＣＨ２）、β（ＣＰＩＣＨ２）と表すとすると、理想的には、β（ＣＰＩＣＨ２）をＤＰＣＨ２に付加された位相オフセット分だけ回転すると、β（ＤＰＣＨ２）と同位相になる。
【００２８】
上記の性質を利用して、アンテナ・ベリフィケーションでは、β（ＣＰＩＣＨ２）を第１の位相候補値だけ回転した複素ベクトルの位相と第２の位相候補値だけ回転した複素ベクトル位相のうち、どちらがβ（ＤＰＣＨ２）の位相に近いかによって、基地局が適用した位相オフセットを判定する。なお、β（ＤＰＣＨ２）の位相は、ＤＰＣＨ２に多重化され、既知のシンボルパターンを有する個別パイロットビットを用いて知ることができる。
【００２９】
具体的には、まず、β（ＣＰＩＣＨ２）を第１の位相候補値π／４ラジアンだけ回転したβ（ＤＰＣＨ２）の第１レプリカＲ１と、β（ＣＰＩＣＨ２）を第２の位相候補値３π／４ラジアンだけ回転したβ（ＤＰＣＨ２）の第２レプリカＲ２を作成する。レプリカＲ１及びＲ２は、以下の（２）式及び（３）式で表される。
【００３０】
【数２】
2007104097.tif 000004
【００３１】
【数３】
2007104097.tif 000005
【００３２】
次に、第１レプリカＲ１とβ（ＤＰＣＨ２）との相関Ｓ１及び第２レプリカＲ２とβ（ＤＰＣＨ２）との相関Ｓ２を求め、Ｓ１とＳ２を比較することにより、β（ＤＰＣＨ２）との相関の強いレプリカを決定し、決定したレプリカの位相候補値を基地局側が適用した位相オフセットと判定する。なお、相関Ｓ１及びＳ２としては、レプリカＲ１及びＲ２とβ（ＤＰＣＨ２）とのベクトル内積等、レプリカＲ１及びＲ２とβ（ＤＰＣＨ２）との位相差の大小を評価可能なものであればよい。
【００３３】
上記の判定によって、第２の位相候補値を位相オフセットとして採用した場合は、基地局が受信したＦＢＩビットにビット誤りがあったことを意味する。このため、次の奇数スロットに対するアンテナ・ベリフィケーションを行う際には、ベリフィケーションに使用する偶数スロットのＦＢＩビットＦＢＩ＿ｅをゼロから１に更新しておく必要がある。ＦＢＩ＿ｅを更新した場合、次の奇数スロットに対する第１の位相候補値は、（ＦＢＩ＿ｅ，ＦＢＩ＿ｏ）＝（１，０）であるため３π／４ラジアンとなり、第２の位相候補値は、（ＦＢＩ＿ｅ，ＦＢＩ＿ｏ）＝（１，１）であるため−３π／４ラジアンとなる。
【００３４】
上述したアンテナ・ベリフィケーション方法の処理フローの一例を図５に示す。ステップＳ５０１では、位相オフセットの第１の位相候補値を適用した第１レプリカＲ１とβ（ＤＰＣＨ２）との相関Ｓ１を計算する。ステップＳ５０２では、位相オフセットの第２の位相候補値を適用した第２レプリカＲ２とβ（ＤＰＣＨ２）との相関Ｓ２を計算する。ステップＳ５０３では、相関Ｓ１とＳ２を比較し、相関が強いほうの位相オフセットの候補値を選択する。
【００３５】
ステップＳ５０４では、選択した位相オフセットが第２の位相候補値であるかを判定する。第２の位相候補値を選択した場合は、基地局が受信したＦＢＩビットにビット誤りがあったことを意味するため、次のアンテナ・ベリフィケーションに使用するＦＢＩビットの値を更新する（ステップＳ５０５）。つまり、上述したように、偶数スロットのアンテナ・ベリフィケーションにおいて第２の位相候補値を選択した場合は、次の奇数スロットのベリフィケーションに使用する偶数スロットのＦＢＩビットＦＢＩ＿ｅを更新する。ステップＳ５０６では、選択した位相オフセットの複素共役を乗算器２１に出力する。
【００３６】
図４に戻り、ＲＡＫＥ合成部２２は、第１アンテナ伝送路推定部１７及び乗算器２０によって位相変動が補償されたマルチパス成分をＲＡＫＥ合成する。同様にＲＡＫＥ合成部２３は、第２アンテナ伝送路推定部１８及び乗算器２１によって位相変動が補償されたマルチパス成分をＲＡＫＥ合成する。ＲＡＫＥ合成部２２及び２３の出力は、加算器２４によって加算された後にチャネル復号化部２５に入力される。チャネル分離部２５は、入力されたＲＡＫＥ合成後のデータ系列に対して、デインタリーブ、チャネル復号を行って、復号データを出力する。
【００３７】
上述した従来のアンテナ・ベリフィケーションにおいて、基地局が受信したＦＢＩビットにビット誤りがあったと誤判定し、誤った位相オフセットを選択した場合、誤判定したスロットに対する伝送路推定を正しく行うことはできない。さらに、誤判定したスロットに続く次のスロットに対するアンテナ・ベリフィケーションでは、誤判定した結果によって更新されたＦＢＩビットを用いて第１の位相候補値及び第２の位相候補値を生成してしまう。前のスロットに対するアンテナ・ベリフィケーションが誤判定であると、これらの位相候補値には、基地局が設定した位相オフセットは含まれない。このため、誤判定を行ったスロットの次のスロットでは、アンテナ・ベリフィケーションを行って第１の位相候補値及び第２の位相候補値のいずれを選択したとしても、伝送路推定を正しく行うことはできない。
【００３８】
例えば、上述した偶数スロットのアンテナ・ベリフィケーションが誤判定であった場合、次の奇数スロットに対するアンテナ・ベリフィケーションに使用するＦＢＩビットＦＢＩ＿ｅの値が誤って"１"に更新されることになる。この結果、次の奇数スロットのベリフィケーション時の第１の位相候補値は（ＦＢＩ＿ｅ，ＦＢＩ＿ｏ）＝（１，０）であるため３π／４ラジアンとなり、第２の位相候補値は（ＦＢＩ＿ｅ，ＦＢＩ＿ｏ）＝（１，１）であるため−３π／４ラジアンとなる。これに対して、基地局が設定する位相オフセットは、（ＦＢＩ＿ｅ，ＦＢＩ＿ｏ）＝（０，０）に対応するπ／４ラジアンであるため、いずれの位相候補値にも正しい位相オフセットは含まれない。
【特許文献１】特開２００３−８５５２号公報
【発明の開示】
【発明が解決しようとする課題】
【００３９】
上述したように、従来のアンテナ・ベリフィケーション方法では、あるタイミング（Ｗ−ＣＤＭＡであればあるスロット）におけるベリフィケーションが誤判定であった場合、誤判定したタイミングの伝送路推定を正しく行えないだけではなく、誤判定の結果を反映して位相オフセットの候補値を定める後続のタイミングでのベリフィケーションの結果に基づく伝送路推定も正しく行うことができない。
【００４０】
このように、従来のアンテナ・ベリフィケーション方法は、あるタイミングでのアンテナ・ベリフィケーションの誤判定が、これ以降のタイミングに行うアンテナ・ベリフィケーションの結果に基づく伝送路推定に影響するという問題がある。
【００４１】
なお、このような問題は、上述したＷ−ＣＤＭＡにおけるクローズドループ・モード１に限らず他のクローズドループ型送信ダイバーシチを行う無線通信システムにおいても、アンテナ・ベリフィケーションを行う場合に発生する共通の問題である。
【課題を解決するための手段】
【００４２】
本発明にかかる無線受信装置は、第１アンテナと第２アンテナによってクローズドループ型の送信ダイバーシチを行う無線送信装置と通信可能な無線受信装置である。前記無線受信装置は、前記無線送信装置によって、前記無線受信装置からのフィードバック情報に従って前記第１アンテナから送信される信号と前記第２アンテナから送信される信号の少なくとも一方に付加されたウエイトベクトルを判定するアンテナ・ベリフィケーション部と、前記アンテナ・ベリフィケーション部が判定したウエイトベクトルを用いて前記無線送信装置から受信した信号の位相変動を補償して信号合成を行う合成部とを備える。さらに、前記アンテナ・ベリフィケーション部は、過去に判定したウエイトベクトルに基づいて決定した複数のウエイトベクトル候補値を受信信号と比較することにより、前記無線送信装置によって設定されたウエイトベクトルを前記複数の候補値から選択するものであり、過去の前記ウエイトベクトルの判定において、前記無線送信装置から受信した信号のウエイトベクトルが前記フィードバック情報より定まるウエイトベクトルと異なっていた場合は、前記過去の判定によるウエイトベクトルを前記フィードバック情報より定まるウエイトベクトルとしたときのウエイトベクトル候補値を前記複数の候補値に加えて判定を行う。
【００４３】
このような構成により、過去のアンテナ・ベリフィケーションが誤判定であった場合でも、過去のアンテナ・ベリフィケーションの誤判定の影響をひきずることなく正しいウエイトベクトルを選択することができる。このため、誤判定後のアンテナ・ベリフィケーションの結果に基づいて受信信号の位相変動の補償を正しく行うことができる。
【００４４】
また、本発明にかかるアンテナ・ベリフィケーション方法は、第１アンテナと第２アンテナによってクローズドループ型の送信ダイバーシチを行う無線送信装置と通信可能な無線受信装置が行うものであり、前記無線送信装置によって前記無線受信装置からのフィードバック情報に従って前記第１アンテナから送信される信号と前記第２アンテナから送信される信号の少なくとも一方に付加されたウエイトベクトルを、過去に判定したウエイトベクトルに基づいて決定した複数のウエイトベクトル候補値から選択するものである。
【００４５】
前記アンテナ・ベリフィケーション方法は、過去の前記ウエイトベクトルの判定におけるウエイトベクトルの判定値が前記フィードバック情報より定まるウエイトベクトルと異なっていたかを判定し、前記フィードバック情報より定まるウエイトベクトルと異なっていた場合は、前記過去の判定によるウエイトベクトルを前記フィードバック情報より定まるウエイトベクトルとしたときのウエイトベクトル候補値を含む複数のウエイトベクトル候補値を決定し、前記ウエイトベクトル候補値を受信信号と比較して、前記無線送信装置によって設定されたウエイトベクトルを前記複数の候補値から選択するものである。
【００４６】
このような方法により、過去のアンテナ・ベリフィケーションが誤判定であった場合でも、過去のアンテナ・ベリフィケーションの誤判定の影響をひきずることなく正しいウエイトベクトルを選択することができる。このため、誤判定後のアンテナ・ベリフィケーションの結果に基づいて受信信号の位相変動の補償を正しく行うことができる。
【００４７】
さらに、本発明の別の態様にかかるアンテナ・ベリフィケーション方法は、第１アンテナと第２アンテナによってＷ−ＣＤＭＡのクローズドループ・モード１による送信ダイバーシチを行う無線送信装置と通信可能な無線受信装置が行うものであり、前記無線送信装置によって前記無線受信装置から受信したＦＢＩビットに従って前記第２アンテナから送信される信号に付加された位相オフセットを、過去に判定した位相オフセットに基づいて決定した複数の位相オフセット候補値から選択するものである。
【００４８】
当該アンテナ・ベリフィケーション方法は、過去の前記位相オフセットの判定において、前記無線送信装置から受信した信号の位相オフセットが前記ＦＢＩビットより定まる位相オフセットと異なっていた場合は、判定を行うタイムスロットに対応する第１のＦＢＩビット及び前記第１のＦＢＩビットより１スロット前の第２のＦＢＩビットの組合せから定まる第１の位相候補値、前記第１のＦＢＩビットを反転したビット及び前記第２のＦＢＩビットの組合せから定まる第２の位相候補値、並びに、前記第２のＦＢＩビットを反転したビット及び前記第１のＦＢＩビットの組合せから定まる第３の位相候補値から、前記無線送信装置によって設定された位相オフセットを選択する。また、過去の前記位相オフセットの判定において、前記無線送信装置から受信した信号の位相オフセットが前記ＦＢＩビットより定まる位相オフセットと同じであった場合は、前記第１の位相候補値及び前記第２の位相候補値から、前記無線送信装置によって設定された位相オフセットを選択する。
【００４９】
このような方法により、過去のアンテナ・ベリフィケーションが誤判定であった場合でも、過去のアンテナ・ベリフィケーションの誤判定の影響をひきずることなく正しい位相オフセットを選択することができる。このため、誤判定後のアンテナ・ベリフィケーションの結果に基づいて受信信号の位相変動の補償を正しく行うことができる。
【発明の効果】
【００５０】
本発明により、過去のアンテナ・ベリフィケーションの誤判定によらず、後続のアンテナ・ベリフィケーションの結果に基づく伝送路推定を正しく行うことができる無線受信装置及びアンテナ・ベリフィケーション方法を提供することができる。
【発明を実施するための最良の形態】
【００５１】
以下では、本発明を適用した具体的な実施の形態について、図面を参照しながら詳細に説明する。各図面において、同一要素には同一の符号が付されており、説明の明確化のため、必要に応じて重複説明は省略する。なお、以下に説明する実施の形態は、クローズドループ・モード１による送信ダイバーシチを行うＷ−ＣＤＭＡ移動通信方式の無線受信装置に対して本発明を適用したものである。
【００５２】
発明の実施の形態１．
本実施の形態にかかる無線受信装置１の構成を図１に示す。無線受信装置１は、Ｗ−ＣＤＭＡ通信システムの移動局に適用され、上述した基地局の無線送信装置５との間でクローズドループ・モード１による送信ダイバーシチを行うものである。なお、無線受信装置１が備えるアンテナ・ベリフィケーション部１９及び判定履歴保持部２６を除く他の構成要素は、図４に示した従来の無線受信装置７が備えるものと同一であるため、同一の符号を付して重複説明を省略する。
【００５３】
アンテナ・ベリフィケーション部１９は、ＤＰＣＨ逆拡散部１３及びＣＰＩＣＨ逆拡散部１４から受信ＣＰＩＣＨ２及び受信ＤＰＣＨ２を入力し、基地局側の無線送信装置５がＤＰＣＨ２に適用した位相オフセットを判定する。
【００５４】
判定履歴保持部２６は、アンテナ・ベリフィケーション部１９によるアンテナ・ベリフィケーションの判定履歴を保持するメモリである。具体的には、アンテナ・ベリフィケーションを行う際に、位相オフセットの候補値を定める際に影響のある過去のアンテナ・ベリフィケーションの判定履歴を保持する。
【００５５】
クローズドループ・モード１の場合は、1つ前のスロットに対する判定の結果が位相候補値の決定に影響するため、判定履歴保持部２６は、１つ前のスロットに対する判定の履歴を保持すればよい。より具体的には、1つ前のスロットに対するアンテナ・ベリフィケーションにおいて、第２の位相候補値を選択して、基地局が受信したＦＢＩビットにビット誤りがあったと判定したかを識別するための1ビットのフラグメモリであればよい。
【００５６】
アンテナ・ベリフィケーション部１９が実施するアンテナ・ベリフィケーションの処理フローを図２に示す。なお、図５に示した従来のアンテナ・ベリフィケーション方法と同同一の処理には、同じ符号を付与している。ステップＳ５０１では、位相オフセットの第１の位相候補値を適用した第１レプリカＲ１とβ（ＤＰＣＨ２）との相関Ｓ１を計算する。第１の位相候補値は、基地局がＦＢＩビットを誤りなく受信した場合に期待される位相オフセットである。
【００５７】
ステップＳ５０２では、位相オフセットの第２の位相候補値を適用した第２レプリカＲ２とβ（ＤＰＣＨ２）との相関Ｓ２を計算する。第２の位相候補値は、基地局が受信したＦＢＩビットにビット誤りがあった場合に期待される位相オフセットである。ステップＳ５０３では、相関Ｓ１とＳ２を比較し、相関が強いほうの位相オフセットの候補値を選択する。
【００５８】
ステップＳ１０１では、前回のアンテナ・ベリフィケーションにおいて、第２の位相候補値を選択して、基地局が受信したＦＢＩビットにビット誤りがあったと判定したかどうかを判定する。当該判定は、判定履歴保持部２６に保持した過去のアンテナ・ベリフィケーションの判定履歴を参照して行う。
【００５９】
前回のアンテナ・ベリフィケーションにおいて基地局の受信ＦＢＩビットに誤りがあったと判定していない場合は、以降のステップＳ１０２及びＳ１０３をスキップし、ステップＳ５０４以降の処理を行う。ステップＳ５０４からＳ５０６までの処理は、図５に示した従来のアンテナ・ベリフィケーション方法と同様である。ステップＳ１０４では、判定履歴保持部２６に、アンテナ・ベリフィケーションの判定履歴を保持する。
【００６０】
一方、前回のアンテナ・ベリフィケーションにおいて基地局の受信ＦＢＩビットに誤りがあったと判定していた場合は、ステップＳ１０２及びＳ１０３を実行する。ステップＳ１０２では、位相オフセットの第３の位相候補値を適用した第３レプリカＲ３とβ（ＤＰＣＨ２）との相関Ｓ３を計算する。ここで、第３の位相候補値は、前回のアンテナ・ベリフィケーションが誤判定であり、基地局の受信ＦＢＩビットに誤りがなかったとした場合に期待される位相オフセットである。
【００６１】
一例として、移動局が送信するＦＢＩビットは常にゼロであり、ある偶数スロットのアンテナ・ベリフィケーションにおいて基地局の受信ＦＢＩビットに誤りがあったと判定し、ＦＢＩビットＦＢＩ＿ｅ＝１に更新した場合を考える。このとき、次の奇数スロットに対する判定では、第１の位相候補値が（ＦＢＩ＿ｅ，ＦＢＩ＿ｏ）＝（１，０）より定まる３π／４ラジアンであり、第２の位相候補値が（ＦＢＩ＿ｅ，ＦＢＩ＿ｏ）＝（１，１）より定まる−３π／４ラジアンである。
【００６２】
もし、偶数スロットのアンテナ・ベリフィケーションが誤判定であった場合は、基地局が第２アンテナのＤＰＣＨ２に付加する位相オフセットは、（ＦＢＩ＿ｅ，ＦＢＩ＿ｏ）＝（０，０）より定まるπ／４ラジアンである。そこで、本発明では、第３の位相候補値として、（ＦＢＩ＿ｅ，ＦＢＩ＿ｏ）＝（０，０）より定まるπ／４ラジアンを追加する。このときのレプリカＲ３は、（４）式の通りである。
【００６３】
【数４】
2007104097.tif 000006
【００６４】
ステップＳ１０３では、ステップＳ５０３で選択した位相候補値による相関Ｓ１又はＳ２と第３の位相候補値による相関Ｓ３とを比較し、相関が強いほうの位相オフセットの候補値を選択する。
【００６５】
このように、本実施の形態にかかる無線受信装置１が備えるアンテナ・ベリフィケーション部１９は、過去のスロットに対して行ったアンテナ・ベリフィケーションにおいて基地局が受信したＦＢＩビットにビット誤りがなかったと判定した場合は、従来と同様に、第１の位相候補値と第２の位相候補値を用いて後続のスロットに対するアンテナ・ベリフィケーションを行う。一方、過去のスロットに対して行ったアンテナ・ベリフィケーションにおいて基地局が受信したＦＢＩビットにビット誤りがあったと判定した場合、後続のスロットに対するアンテナ・ベリフィケーションでは、過去の判定でＦＢＩビットのビット誤りがないとした場合の位相オフセットを第３の候補値として追加して判定を行う点が特徴である。
【００６６】
上述した従来のアンテナ・ベリフィケーション方法では、過去のアンテナ・ベリフィケーションの結果は常に正しいものとして、以降のアンテナ・ベリフィケーションに使用するＦＢＩビットの値を更新してしまう。このため、過去のアンテナ・ベリフィケーションが誤った判定をしていた場合は、誤判定をしたスロットの伝送路推定が正しく行えないだけではなく、過去の誤判定の結果を利用して位相オフセット候補値を定める以降のアンテナ・ベリフィケーションによっても正しい伝送路推定を行うことができない。つまり、一度アンテナ・ベリフィケーションで誤判定をすると、その結果を利用する次回のアンテナ・ベリフィケーションでも正しい位相オフセットを得ることができないという問題があった。
【００６７】
これに対して本実施の形態の無線受信装置１は、アンテナ・ベリフィケーションが誤判定であった場合を想定し、誤判定の結果が影響する次の判定に位相オフセットの候補値を追加する。これにより、以前のアンテナ・ベリフィケーションが誤判定であった場合でも、この誤判定結果の影響を引きずらずに、正しい位相オフセットを選択し、伝送路推定を正しく行うことができる。クローズドループ型送信ダイバーシチにおいて受信特性を向上することができる。
【００６８】
その他の実施の形態．
本発明は、Ｗ−ＣＤＭＡの３ＧＰＰ規格が定めるクローズドループ・モード２の無線受信装置にも適用可能である。
【００６９】
クローズドループ・モード２の場合、第１アンテナから送信するＤＰＣＨ１に対するウエイトベクトルｗ１と第２アンテナから送信するＤＰＣＨ２に対するウエイトベクトルｗ２は、以下の（５）式のように表される。
【００７０】
【数５】
2007104097.tif 000007
【００７１】
ここで、ｐ１は第１アンテナの送信電力、ｐ２は第２アンテナの送信電力である。クローズドループ・モード２では、送信電力つまり振幅を２通りから選択し、位相を８通りから選択するため、ウエイトベクトルの組合せは１６通りである。このため、移動局から基地局へのフィードバック情報は４ビット必要である。これらに対して、１スロット中のＦＢＩビット数は、クローズドループ・モード１と同様に１ビットであるため、４スロットのＦＢＩビットによって１つのフィードバック情報を送信する。
【００７２】
このため、クローズドループ・モード２の場合にも、１ビットのＦＢＩビットの誤りの有無に応じた２つのウエイトベクトルの候補値から、ウエイトベクトルの推定値を選択する従来のアンテナ・ベリフィケーション方法では、過去のアンテナ・ベリフィケーションが誤った判定をしていた場合は、過去の誤判定の結果を利用して位相オフセット候補値を定める以降のアンテナ・ベリフィケーションによっても正しい伝送路推定を行うことができない。
【００７３】
本発明では、上述した発明の実施の形態１の無線受信装置１において、アンテナ・ベリフィケーション部１９が、クローズドループ・モード２のウエイトベクトルの推定を行うこととし、判定履歴保持部２６に、３スロット前までの判定履歴を保持することとすればよい。これにより、過去のスロットに対して行ったアンテナ・ベリフィケーションにおいて基地局が受信したＦＢＩビットにビット誤りがあったと判定した場合、後続のスロットに対するアンテナ・ベリフィケーションでは、過去の判定でＦＢＩビットのビット誤りがないとした場合の位相オフセットを第３の候補値として追加して判定を行うことができる。このため、本発明の無線受信装置では、以前のアンテナ・ベリフィケーションが誤判定であった場合でも、この誤判定結果の影響を引きずらずに、正しい位相オフセットを選択し、伝送路推定を正しく行うことができる。
【００７４】
図２のアンテナ・ベリフィケーション処理フローでは、第１の位相候補値による相関Ｓ１と第２の位相候補値による相関Ｓ２を比較した後に、第３の位相候補値による相関Ｓ３との比較を行うこととしたが、これらの３つの相関の比較を合わせて行うこととしてもよい。
【００７５】
図２に示したアンテナ・ベリフィケーション処理フローは一例であって、様々な変形が可能である。例えば、ＦＢＩビットの受信誤りの発生率に基づいて、ＦＢＩビット受信誤りと判定し難くなるような重み付けを行って、位相オフセットを推定することも行われている。しかしこの場合にも、アンテナ・ベリフィケーションにおいて一度誤判定をすると、次のスロットに対する伝送路推定も正しく行えないという状況が同様に発生する。このため本発明が有効である。要するに、あるスロットでのアンテナ・ベリフィケーションによる位相オフセット又はＦＢＩビットの推定結果が、後のスロットでの位相オフセットの推定に影響するアンテナ・ベリフィケーション方法に対して本発明は有効である。
【００７６】
上述した実施の形態１では、基地局の受信ＦＢＩビットにビット誤りがあったと判定した場合は、次のアンテナ・ベリフィケーションにおいて第３の位相候補値を追加して判定を行うこととした。さらに、第３の位相候補値に加えて、第４の位相候補値を加えて判定を行うこととしてもよい。ここで、第４の位相候補値は、過去のアンテナ・ベリフィケーションの判定に誤りがあり、かつ、今回の判定対象であるＦＢＩビットにおいて基地局のＦＢＩビット受信誤りがあった場合に期待される位相オフセットである。これにより、アンテナ・ベリフィケーションの判定誤りのあったスロットの次のスロットでＦＢＩビット受信誤りがあった場合にも、適切な位相オフセットを判定することができる。
【００７７】
具体的には、例えば、第１の位相候補値が（ＦＢＩ＿ｅ，ＦＢＩ＿ｏ）＝（１，０）より定まる３π／４ラジアンであり、第２の位相候補値が（ＦＢＩ＿ｅ，ＦＢＩ＿ｏ）＝（１，１）より定まる−３π／４ラジアン、第３の位相候補値が（ＦＢＩ＿ｅ，ＦＢＩ＿ｏ）＝（０，０）より定まるπ／４ラジアンである場合、第４の位相候補値は、（ＦＢＩ＿ｅ，ＦＢＩ＿ｏ）＝（０，１）より定まる−π／４ラジアンである。
【００７８】
上述した実施の形態では、Ｗ−ＣＤＭＡ移動通信方式の無線受信装置に本発明を適用した場合を説明した。しかしながら、本発明の適用先は、このような構成に限られない。要するに、本発明は、あるタイミングでのアンテナ・ベリフィケーションの結果に応じて、このベリフィケーションの結果を利用する後続のアンテナ・ベリフィケーションにおけるウエイトベクトルの候補値を変更するものである。このため、本発明は、クローズドループ型送信ダイバーシチにおいて、正確な伝送路推定のために、送信信号に付加されたウエイトベクトルを推定するアンテナ・ベリフィケーションを行う無線受信装置に広く適用可能なものである。
【図面の簡単な説明】
【００７９】
【図１】本発明にかかる無線受信装置の構成図である。
【図２】本発明にかかるアンテナ・ベリフィケーションの処理フローである。
【図３】従来の無線送信装置の構成図である。
【図４】従来の無線受信装置の構成図である。
【図５】従来のアンテナ・ベリフィケーションの処理フローである。
【符号の説明】
【００８０】
１  無線受信装置
１１  アンテナ
１２  受信部
１３  ＤＰＣＨ逆拡散部
１４  ＣＰＩＣＨ逆拡散部
１５  位相比較部
１６  ＦＢＩビット生成部
１７  第１アンテナ伝送路推定部
１８  第２アンテナ伝送路推定部
１９  アンテナ・ベリフィケーション部
２０、２１  乗算器
２２、２３  ＲＡＫＥ合成部
２４  加算器
２５  チャネル分離部
２６  判定履歴保持部
【図１】
2007104097.tif 000008
【図２】
2007104097.tif 000009
【図３】
2007104097.tif 000010
【図４】
2007104097.tif 000011
【図５】
2007104097.tif 000012